(57)【要約】  保護されているビットと共に誤り検出ビットを含むことにより、いずれも何らかの誤り検出方法（ＣＲＣ法など）を使用し、保護されているチャネル（シグナリングビットが搬送されているチャネル以外のチャネル）上において搬送されるビットを保護する送信装置（２０ａ）と受信装置（２０ｂ）の間の無線通信における少なくとも幾つかのシグナリングビット（ＴＦＣＩビットなど）の追加的な誤り検出を提供する方法（および、装置）において、この方法は、送信装置が、保護されているビットのみならずシグナリングビットにも基づいて誤り検出ビットを演算し、このように演算された誤り検出ビットを保護されているビットと共に伝送し、且つ、シグナリングビットを別のチャネル上において伝送する段階（３１、３２）を特徴としている。次いで、受信装置（２０ｂ）は、保護されているビットのみならず伝送されたシグナリングビットにも基づいて誤りを検出する段階（３３）を実行する。
2007523554.tif 000002
【特許請求の範囲】
【請求項１】
送信装置から受信装置へのビットの無線通信における少なくとも幾つかのシグナリングビットの追加的な誤り検出を提供する方法であって、前記送信装置および前記受信装置は、ＣＲＣ符号または何らかのその他の誤り検出方法を使用し、保護されているビットのみならず誤り検出ビットをも搬送することにより、保護されているチャネル上において搬送されるビットを保護し、前記保護されているチャネルは、前記シグナリングビットが搬送されているチャネル以外のチャネルである、方法において、
前記送信装置が、前記保護されているビットのみならず前記シグナリングビットにも基づいて前記誤り検出ビットを演算し、このように演算された前記誤り検出ビットを前記保護されているビットと共に伝送し、且つ、前記シグナリングビットを別のチャネル上において伝送する段階（３１、３２）を特徴とする方法。
【請求項２】
前記受信装置が、前記保護されているビットのみならず前記伝送されたシグナリングビットにも基づいて誤りを検出する段階（３３）を更なる特徴とする請求項１に記載の方法。
【請求項３】
前記シグナリングビット内において誤りが検出された場合に、前記受信装置が、フレームの少なくとも幾つかのビットを破棄し、前記フレームを再伝送するように前記送信装置に要求し、ソフト組み合わせ用のバッファに前記破棄されたビットを加えない段階（３４）を更に備える請求項２に記載の方法。
【請求項４】
前記シグナリングビットは、データチャネルのＴＦＣＩについて通知するビットを有しており、誤りを検出した際に破棄される前記ビットは、前記データチャネル上において伝達されるビットである請求項３に記載の方法。
【請求項５】
前記シグナリングビットは、更なるチャネルをデコードするべく使用される制御チャネルによって搬送される請求項１に記載の方法。
【請求項６】
前記シグナリングビットは、ＴＦＣＩについて通知するビットを含んでおり、更なるチャネルは、トラフィックチャネルである請求項５に記載の方法。
【請求項７】
前記シグナリングビットを搬送するべく使用される前記チャネルと前記保護されているチャネルは、いずれも、更なるチャネルをデコードするべく使用される制御チャネルである請求項１に記載の方法。
【請求項８】
前記シグナリングビットは、ＴＦＣＩを搬送し、前記保護されているチャネルは、アウトバンドシグナリングチャネルである請求項７に記載の方法。
【請求項９】
前記保護されているチャネルは、前記更なるチャネルと時間多重化されている請求項７に記載の方法。
【請求項１０】
前記保護されたチャネルは、前記更なるチャネルと符号多重化されている請求項７に記載の方法。
【請求項１１】
前記保護されているチャネルは、トラフィックチャネルである請求項１に記載の方法。
【請求項１２】
前記シグナリングビットは、更なるチャネルをデコードするべく使用される制御チャネルによって搬送されており、前記保護されているチャネルは、前記更なるチャネルよりも良好に保護されている請求項１１に記載の方法。
【請求項１３】
前記誤り検出方法は、保護対象の前記ビットに基づいてＣＲＣ符号値を演算する段階を伴っている請求項１に記載の方法。
【請求項１４】
通信装置内のコンピュータプロセッサによって実行されるコンピュータプログラムコードをその上に実装したコンピュータ可読ストレージ構造を備えるコンピュータプログラムプロダクトにおいて、
前記コンピュータプログラムコードは、請求項１に記載の方法の各段階を実行する命令を含んでいることを特徴とするコンピュータプログラムプロダクト。
【請求項１５】
通信装置内のコンピュータプロセッサによって実行されるコンピュータプログラムコードをその上に実装したコンピュータ可読ストレージ構造を備えるコンピュータプログラムプロダクトにおいて、
前記コンピュータプログラムコードは、請求項２に記載の方法の各段階を実行する命令を含んでいることを特徴とするコンピュータプログラムプロダクト。
【請求項１６】
ビットの無線通信における少なくとも幾つかのシグナリングビットの追加的な誤り検出を提供する際に無線通信装置（２０ａ）によって使用される装置であって、前記無線通信装置（２０ａ）は、ＣＲＣ符号または何らかのその他の誤り検出方法を使用し、保護されているビットのみならず誤り検出ビットをも搬送することにより、保護されているチャネル上において搬送されるビットを保護し、前記保護されているチャネルは、前記シグナリングビットが搬送されているチャネル以外のチャネルである、装置において、
伝送する際に、前記無線通信装置（２０ａ）が、前記保護されているビットのみならず前記シグナリングビットにも基づいて前記誤り検出ビットを演算し、このように演算された前記誤り検出ビットを前記保護されているビットと共に搬送し、且つ、前記シグナリングビットを別のチャネル上において伝送する手段（２１、２２）を特徴とする装置。
【請求項１７】
前記無線通信装置（２０ａ）は、ＵＥ装置である請求項１６に記載の装置。
【請求項１８】
前記無線通信装置（２０ａ）は、通信ネットワークのアクセスポイントである請求項１６に記載の装置。
【請求項１９】
前記シグナリングビットは、更なるチャネルをデコードするべく使用される制御チャネルによって搬送される請求項１６に記載の装置。
【請求項２０】
前記シグナリングビットは、ＴＦＣＩについて通知するビットを含んでおり、前記更なるチャネルは、トラフィックチャネルである請求項１９に記載の装置。
【請求項２１】
前記シグナリングビットを搬送するべく使用される前記チャネルと前記保護されているチャネルは、いずれも、更なるチャネルをデコードするべく使用される制御チャネルである請求項１６に記載の装置。
【請求項２２】
前記シグナリングビットは、ＴＦＣＩを搬送しており、前記保護されているチャネルは、アウトバンドシグナリングチャネルである請求項２１に記載の装置。
【請求項２３】
前記保護されているチャネルは、前記更なるチャネルと時間多重化されている請求項１９に記載の装置。
【請求項２４】
前記保護されているチャネルは、前記更なるチャネルと符号多重化されている請求項１９に記載の装置。
【請求項２５】
前記保護されているチャネルは、トラフィックチャネルである請求項１６に記載の装置。
【請求項２６】
前記シグナリングビットは、更なるチャネルをデコードするべく使用される制御チャネルによって搬送されており、前記保護されているチャネルは、前記更なるチャネルよりも良好に保護されている請求項２５に記載の装置。
【請求項２７】
前記誤り検出方法は、保護対象の前記ビットに基づいてＣＲＣ符号値を演算する段階を伴っている請求項１６に記載の装置。
【請求項２８】
ビットの無線通信における少なくとも幾つかのシグナリングビットの追加的な誤り検出を提供する際に無線通信装置（２０ｂ）によって使用される装置であって、前記無線通信装置（２０ｂ）は、ＣＲＣ符号または何らかのその他の誤り検出方法を使用し、保護されているビットのみならず誤り検出ビットをも搬送することにより、保護されているチャネル上において搬送されるビットを保護し、前記保護されているチャネルは、前記シグナリングビットが搬送されているチャネル以外のチャネルである、装置において、
受信する際に、前記無線通信装置（２０ｂ）が、前記保護されているビットのみならず前記伝送されたシグナリングビットにも基づいて誤りを検出する手段（２７）を特徴とする装置。
【請求項２９】
前記無線通信装置（２０ｂ）は、通信ネットワークのアクセスポイントである請求項２８に記載の装置。
【請求項３０】
前記無線通信装置（２０ｂ）は、ＵＥ装置である請求項２８に記載の装置。
【請求項３１】
受信の際に、前記シグナリングビット内において誤りが検出された場合に、前記無線通信装置（２０ｂ）が、フレームの少なくとも幾つかのビットを破棄し、前記破棄されたビットの再伝送を要求し、ソフト組み合わせ用のバッファに前記破棄されたビットを加えない手段（２８）を更に備える請求項２８に記載の装置。
【請求項３２】
前記シグナリングビットは、データチャネルのＴＦＣＩについて通知するビットを有しており、誤りを検出した場合に破棄される前記ビットは、前記データチャネルによって搬送される前記ビットである請求項３１に記載の装置。
【請求項３３】
請求項１６に記載の装置を含む第１無線通信装置（２０ａ）、および、第２無線通信装置（２０ｂ）をも備えるシステム。
【請求項３４】
第１無線通信装置（２０ａ）を備え、更に、請求項２８に記載の装置を含む第２無線通信装置（２０ｂ）をも備えるシステム。
【発明の詳細な説明】
【技術分野】
【０００１】
本発明は、セルラー通信の分野に関するものである。特に、本発明は、音声通信とは対照的なデータの無線通信に関するものである。
【背景技術】
【０００２】
本発明は、ＷＣＤＭＡ（Wideband Code Division Multiple Access：広帯域符号分割多重アクセス）セルラーネットワークにおいて利用可能になると予想されているデータチャネル（すなわち、機能強化されたアップリンクチャネルであるＥ−ＤＣＨ（Enhanced-Data Channel））の使用法に関するものであり、フレーム用のアクティブなトラスポートチャネルを知るためにＷＣＤＭＡフレームの受信機が必要としている所謂ＴＦＣＩ（Transport Format Combination Indicator：トランスポートフォーマット組み合わせインジケータ）のための保護の一形態を提供する。ＷＣＤＭＡ無線インターフェイスは、ＵＴＲＡ（ＵＭＴＳ（Universal Mobile Telecommunications System）： Terrestrial Radio Access）とも呼ばれている（これは、３ＧＰＰ（Third-Generation Partnership Project）によって開発されたものである）。Ｅ−ＤＣＨは、遅延を低減すると共に恐らくはシステムの能力を増大させることにより、ＷＣＤＭＡのリリース１９９９（Ｒｅｌ９９）と比べて、アップリンクの性能を向上させる。
【０００３】
ＷＣＤＭＡ無線インターフェイスのプロトコルアーキテクチャは、物理レイヤ（レイヤ１）、（データ）リンクレイヤ（レイヤ２）、および、ネットワークレイヤ（レイヤ３）という３つのレイヤを具備している。リンクレイヤは、更に、ＲＣＬ（Radio Link Control）とＭＡＣ（Medium Access Control）に分割される。Ｅ−ＤＣＨは、性能を改善するべく受信側における異なるインスタンスのソフト組み合わせ（soft combining）により（すなわち、ＨＡＲＱ（Hybrid Automatic Repeat Request）プロセスを使用することにより）、（Ｒｅｌ９９に既に規定されているＲＬＣレベルの再伝送に加えて）誤りを伴って受信されたパケットのＭＡＣ／Ｌ１（ＭＡＣレイヤ１）レベルの再伝送を使用するものと予想されている。ＨＡＲＱプロセスを管理するには、ＴＦＣＩの何らかの種類の信頼性チェックが必要である。
【０００４】
更に詳しくは、ＭＡＣ／Ｌ１  （Ｈ）ＡＲＱをＥ−ＤＣＨによって使用することにより、ＭＡＣ／Ｌ１レベルにおけるパケットの再伝送が可能であり、遅延の低減および／またはカバレージや能力の増大などのシステムにとっての利点が得られる。意図する受信者のＵＥ（User Equipment：ユーザー装置（すなわち、無線端末））に対してサービスしているノードＢ（すなわち、しばしば、基地局または基地局コンポーネントとも呼ばれる通信ネットワークのアクセスポイント）において、パケットが誤りを伴って受信された場合に、（ＲＬＣレイヤなどの）上位レイヤを伴うことなしに、送信側のＵＥからの再伝送を要求する。受信側において同一パケットの異なる再伝送（異なるバージョン）を組み合わせることにより、良好な性能を得ることができる。このような再組み合わせを実行するべく、ノードＢは、受信した伝送をバッファ内に保存し、同一パケットのそれぞれの再伝送を、このバッファに加える。組み合わせに必要な様々なパラメータについてノードＢに通知するべく、データと並行し、所謂アウトバンドシグナリング（制御）情報が送信される。尚、この場合のアウトバンドシグナリングとは、データビットとは別個に保護されるシグナリングビットを意味している。アウトバンドシグナリングビットは、通常は、独自の誤り検出符号と、チャネル符号（誤り訂正符号）を具備しており、所謂インバンドシグナリングビット（例えば、パケットヘッダ）は、通常、データビットと一緒に（すなわち、同一の誤り検出およびチャネル符号によって）保護されている。アウトバンドシグナリングビットは、通常、データビット内に誤りが存在する場合にも判読可能であり、インバンドシグナリングビットは、データビット内に誤りが存在する場合には判読不能である。制御情報内において検出された誤りは、そのデータパケットを破棄しなければならないことを意味しており、且つ、アウトバンドシグナリング情報内の検出されていない誤りは、受信バッファを破壊し得るため、アウトバンドシグナリングビット／情報は、データ自体よりも良好に保護される。この場合のより良好な保護とは、相対的に強力なチャネル符号（誤り訂正符号）を意味している（すなわち、相対的に低レートのチャネル符号）。アウトバンドシグナリング情報は、ＷＣＤＭＡのＲｅｌ９９においてデータチャネル（ＤＣＨ）について既に実行されているものと同一の方法により、例えば、ＣＲＣ（Cyclic Redundant Check）符号が付与された場合に、誤り検出能力を具備するはずである（従来技術においては、ダウンリンクについては、この能力を具備しているが、アップリンクについては、まだ具備していない）。どのようなアウトバンド情報が実装されている場合にも、それによってシステムの（パワー）オーバーヘッドが決定される（そして、アウトバンド情報に起因するこのオーバーヘッドは、低データレートの場合にリンクの最終的な性能に対して非常に大きな影響を与え得るため、重要であり、これは、アウトバンド情報をデータと共に時間多重化したり、符号多重化におけるように別個の符号を使用するなど、実際にアウトバンド情報をどのように実装した場合にも当て嵌まる）。
【０００５】
ＣＲＣは、アウトバンドシングナリングビットに基づいて算出され、追加ビット（例えば、８、１２、または１６、或いは、場合によっては、２４ビット（これらは、いずれも、Ｒｅｌ９９によって許容されている））としてアウトバンドシグナリングチャネル上において伝達される。本明細書においては、アウトバンドシグナリングチャネルによって搬送されるビットの全体を「アウトバンドビット／情報」と呼ぶことにより、（ＣＲＣを含まない）実際のシグナリングビットのみを意味するべく本明細書において使用されている「アウトバンドシグナリングビット／情報」という用語と区別することとする。
【０００６】
前述のように、ＴＦＣＩは、フレームのアクティブなトランスポートチャネルを知るためにフレームの受信機が必要とするものである。更に詳しくは、トランスポートチャネルをデコードするために必要な情報（例えば、トランスポートチャネルの数、チャネル当たりのビット数、および、レートマッチングパラメータ）を具備しているのは、制御フィールドである。これは、実際には、トランスポートフォーマット組み合わせの組に対するインデックスであり、現在の無線フレーム内において使用されているトランスポートフォーマット組み合わせ（Transport Format Combination：ＴＦＣ）を受信側に対して通知する。ＴＦＣＩは、ＤＰＣＣＨ（Dedicated Physical Control CHannel）上において送信される。これは、最大で１０情報ビットを具備しており、これらは、２次Ｒｅｅｄ−Ｍｕｌｌｅｒ符号を使用して３２ビットにエンコードされ、次いで、３０ビットに短縮されて、１スロット当たり２ビットにおいてＤＰＣＣＨ上において送信される（１０ｍｓの無線フレーム当たり、１５スロットが存在している）。例えば、ＴＦＣＩ符号化に関する３ＧＰＰのＴＳ２５．２１２およびＤＰＣＣＨの詳細に関するＴＳ２５．２１１を参照されたい。
【０００７】
２次Ｒｅｅｄ−Ｍｕｌｌｅｒ符号は、少なくとも、１０ＴＦＣＩビットのすべてが別の方法で使用されていない限り、誤り訂正に加え、誤り検出にも原則的に使用可能なブロック符号である（ブロック符号（従って、Ｒｅｅｄ−Ｍｕｌｌｅｒ符号）を使用することにより、誤りを訂正することなしに、誤りを検出可能であり、或いは、相対的に小さな数の誤りの検出および訂正の両方を実行可能である）。しかしながら、相対的に大きな誤り検出にブロック符号を使用した場合には、符号の誤り訂正能力が低減されることになり、従って、通常は、誤り検出が完全に実装されることはない。Ｒｅｌ９９の場合には、これは、問題ではなく、ＴＦＣＩ内に誤りが存在する場合には（これは、受信機が、誤ったトランスポートフォーマット組み合わせのデコードを試みていることを意味している）、大抵の場合に、トランスポートチャネルの１つまたは複数のＣＲＣが失敗し、これは、トランスポートブロックが破棄されることを意味している。ＴＦＣＩの誤りが検出された場合にも、同様のことが発生し、トランスポートブロックが破棄されることになるであろう。
【０００８】
従って、Ｒｅｌ９９のＷＣＤＭＡシステム内のＴＦＣＩには、誤り検出能力が提供されておらず、且つ、実際に必要とされてもいないが、ＷＣＤＭＡの将来のリリースに対して誤り検出を提供しなければ、特にレイヤ１（Ｈ）ＡＲＧ法を採用したリリースの場合に、問題が発生する可能性があろう。このようなリリースにおいては、ＴＦＣＩ上における誤りは、同一データパケットの異なる伝送の誤った組み合わせを引き起こし、結果的に、パケット自体の消失をもたらし、且つ、上位レベルの再伝送が必要となる（より大きな遅延をもたらす）。
【０００９】
一例が図１に示されており、この場合には、２つの可能なＴＦＣが考えられている。第１のもの（ＴＦＣ１）には、Ｅ−ＤＣＨチャネル、その関係するアウトバンドシグナリングチャネル、および、ＤＣＨ（Ｒｅｌ９９）トランスポートチャネルが存在している。第２のもの（ＴＦＣ２）には、Ｅ−ＤＣＨとアウトバンドシグナリングチャネルのみが存在している。例えば、伝送においてＴＦＣ１が使用され、受信ノードＢにおいてＥ−ＤＣＨ内に誤りが検出され、この結果、ＵＥによるパケットの再伝送が要求されたと仮定しよう。ＵＥがＴＦＣ１のフォーマットを再度使用してパケットを再伝送すると仮定しよう。ＴＦＣＩ内に誤りが存在する場合には、ノードＢは、（その誤りに応じて）まるでＴＦＣ２が使用されているかのように再伝送を解釈し得るであろう。この結果、ノードＢは、Ｅ−ＤＣＨに対して予約されているより大きな数のチャネルビットを増大した冗長性と見なし、相応してチャネルビットを使用してデータをデコードする。その後、ノードＢは、以前の伝送を格納しているそのバッファにデータを加えるが、ＴＦＣＩ内の誤りに起因し、バッファに加えられたビットは、オリジナルのものにまったく対応しておらず、それどころか、（有用な情報に対してなんの関係も有していない）「がらくた」であるため、これを実行することにより、ノードＢは、バッファを破壊することになるであろう。この結果、更なる再伝送も、このがらくたと組み合わせられることになるため、通常は、有用ではない。再組み合わせプロセスの終了時点において、上位レイヤが、この問題を検出し、（Ｒｅｌ９９におけると同様に）ＲＬＣ（Radio Link Controller）再伝送により、これを解決することになるが、ＭＡＣ／Ｌ１レイヤにおける誤り訂正を結果的にもたらす遅延と比べた場合に、結果的に遅延が増大することになる。
【００１０】
当技術分野において周知のように（且つ、前述したように）、ＴＦＣＩチャネル符号化のパワーの一部を誤り訂正に使用可能であろう。しかしながら、この結果、ＴＦＣＩをエンコードするのに使用されるＲｅｅｄ−Ｍｕｌｌｅｒ符号の誤り訂正能力が低下することになり、従って、これは、通常、使用されない。ＴＦＣＩを保護する方法の別の可能な解決策は、例えば、ＣＲＣまたは何らかのその他の誤り訂正符号がＴＦＣＩに追加されるようにＴＦＣＩチャネル符号化を変更する方法である。しかしながら、これは、現在のＴＦＣＩ符号化に対する変更を必要とし、更に多くのシグナリングを必要とすることになるであろう。
【発明の開示】
【発明が解決しようとする課題】
【００１１】
従って、ＴＦＣＩをエンコードするのに使用されるＲｅｅｄ−Ｍｕｌｌｅｒ符号の誤り訂正能力を低下させることなく、且つ、更に多くのシグナリングを必要とすることなしに、ＴＦＣＩを保護する方法が求められている。
【課題を解決するための手段】
【００１２】
従って、本発明の第１の形態においては、送信装置から受信装置へのビットの無線通信における少なくとも幾つかのシグナリングビットの追加的な誤り検出を付与する方法が提供され、送信装置および受信装置は、ＣＲＣ符号または何らかのその他の誤り検出方法を使用し、保護されているビットのみならず誤り検出ビットをも搬送することにより、保護されているチャネル上において搬送されるビットを保護し、保護されているチャネルは、シグナリングビットが搬送されているチャネル以外のチャネルであり、本方法は、送信装置が、保護されているビットのみならずシグナリングビットにも基づいて誤り検出ビットを演算し、このように演算された誤り検出ビットを保護されているビットと共に伝送し、且つ、シグナリングビットを別のチャネル上において伝送する段階を特徴としている。
【００１３】
本発明の第１の形態によれば、本方法は、受信装置が、保護されているビットのみならず伝送されたシグナリングビットにも基づいて誤りを検出する段階によって更に特徴づけ可能である。更には、本方法は、シグナリングビット内において誤りが検出された場合に、受信装置が、フレームの少なくとも幾つかのビットを破棄し、フレームを再伝送するように送信装置に要求する（但し、破棄されたビットをソフト組み合わせ用のバッファに加えない）段階を更に備えることができる。更には、シグナリングビットは、データチャネル用のＴＦＣＩについて通知するビットを備えることが可能であり、誤りを検出した際に破棄されるビットは、データチャネルによって搬送されるビットであってもよい。
【００１４】
また、本発明の第１の形態によれば、シグナリングビットは、更なるチャネルをデコードするべく使用される制御チャネルによって搬送可能である。更には、シグナリングビットは、ＴＦＣＩについて通知するビットを備えることが可能であり、更なるチャネルは、トラフィックチャネルであってもよい。
【００１５】
また、本発明の第１の形態によれば、シグナリングビットを搬送するべく使用されるチャネルと保護されているチャネルは、いずれも、更なるチャネルをデコードするべく使用される制御チャネルであってもよい。更には、シグナリングビットは、ＴＦＣＩを搬送可能であり、保護されているチャネルは、アウトバンドシグナリングチャネルであってもよい。更には、保護されているチャネルは、更なるチャネルと時間多重化可能である。更には、保護されているチャネルは、更なるチャネルと符号多重化可能である。
【００１６】
また、本発明の第１の形態によれば、保護されているチャネルは、トラフィックチャネルであってもよい。更には、シグナリングビットは、更なるチャネルをデコードするのに使用される制御チャネルによって搬送可能であり、保護されているチャネルは、更なるチャネルよりも良好に保護可能である。
【００１７】
また、本発明の第１の形態によれば、誤り検出方法は、保護対象のビットに基づいてＣＲＣ符号値を演算する段階を伴うことができる。
【００１８】
本発明の第２の形態においては、通信装置内のコンピュータプロセッサによって実行されるコンピュータプログラムコードをその上部に実装したコンピュータ可読ストレージ構造を備えるコンピュータプログラムプロダクトが提供され、このコンピュータプログラムコードは、本発明の第１の形態による方法の各段階を実行する命令を含んでいることを特徴としている。
【００１９】
本発明の第３の形態においては、ビットの無線通信における少なくとも幾つかのシグナリングビットの追加的な誤り検出を提供する際に無線通信装置によって使用される装置が提供され、この装置は、ＣＲＣ符号または何らかのその他の誤り検出方法を使用し、保護されているビットのみならず誤り検出ビットをも搬送することにより、保護されているチャネル上において搬送されるビットを保護し、保護されているチャネルは、シグナリングビットが搬送されているチャネル以外のチャネルであり、本装置は、送信する際に、本装置が、保護されているビットのみならずシグナリングビットにも基づいて誤り検出ビットを演算し、このように演算された誤り検出ビットを保護されているビットと共に伝送し、且つ、シグナリングビットを別のチャネル上において伝送する手段を特徴としている。
【００２０】
本発明の第３の形態によれば、本装置は、ＵＥ装置であってよく、或いは、これは、通信ネットワークのアクセスポイント（すなわち、例えば、ノードＢまたは基地局または基地局コンポーネント）であってもよい。
【００２１】
また、本発明の第３の形態においては、シグナリングビットは、更なるチャネルをデコードするべく使用される制御チャネルによって搬送可能である。更には、シグナリングビットは、ＴＦＣＩについて通知するビットを包含可能であり、更なるチャネルは、トラフィックチャネルであってもよい。
【００２２】
また、本発明の第３の形態によれば、シグナリングビットを搬送するのに使用されるチャネルと保護されているチャネルは、いずれも、更なるチャネルをデコードするのに使用される制御チャネルであってもよい。
【００２３】
また、本発明の第３の形態によれば、シグナリングビットは、ＴＦＣＩを搬送可能であり、保護されているチャネルは、アウトバンドシグナリングチャネルであってもよい。更には、保護されているチャネルは、更なるチャネルと時間多重化可能である。更には、保護されているチャネルは、更なるチャネルと符号多重化可能である。
【００２４】
また、本発明の第３の実施例によれば、保護されているチャネルは、トラフィックチャネルであってもよい。更には、シグナリングビットは、更なるチャネルをデコードするのに使用される制御チャネルによって搬送可能であり、保護されているチャネルは、更なるチャネルよりも良好に保護可能である。
【００２５】
また、本発明の第３の形態によれば、誤り検出方法は、保護対象のビットに基づいてＣＲＣ符号値を演算する段階を伴うことができる。
【００２６】
本発明の第４の形態においては、ビットの無線通信における少なくとも幾つかのシグナリングビットの追加的な誤り検出を提供する際に無線通信装置によって使用される装置が提供され、この装置は、ＣＲＣ符号または何らかのその他の誤り検出方法を使用し、保護されているビットのみならず誤り検出ビットをも搬送することにより、保護されているチャネル上において搬送されるビットを保護し、保護されているチャネルは、シグナリングビットが搬送されているチャネル以外のチャネルであり、本装置は、受信する際に、本装置が、保護されているビットのみならず伝送されたシグナリングビットにも基づいて誤りを検出する手段を特徴としている。
【００２７】
本発明の第４の形態によれば、本装置は、通信ネットワークのアクセスポイントであってもよく、或いは、これは、ＵＥ装置であってもよい。
【００２８】
また、本発明の第４の形態によれば、本装置は、受信する際に、シグナリングビット内において誤りが検出された場合に、本装置が、フレームの少なくとも幾つかのビットを破棄し、破棄されたビットの再伝送を要求する（但し、破棄されたビットをソフト組み合わせ用のバッファに加えない）手段を更に備えることができる。更には、シグナリングビットは、データチャネル用のＴＦＣＩについて通知するビットを備えることが可能であり、誤りを検出した際に破棄可能なビットは、データチャネルによって搬送されるビットである。
【００２９】
本発明の第５の形態においては、本発明の第３の形態による第１通信装置と、第２通信装置をも備えるシステムが提供される。
【００３０】
本発明の第６の形態においては、第１通信装置と、本発明の第４の形態による第２通信装置をも備えるシステムが提供される。
【発明を実施するための最良の形態】
【００３１】
本発明の前述およびその他の目的、特徴および利点は、添付の図面との関連で提示される以下の詳細な説明を参照することにより、明らかとなるであろう。
【実施例】
【００３２】
ＴＦＣＩの誤り検出を提供するべく、本発明は、Ｅ−ＤＣＨと関連してＨＡＲＱを実行するのに既に使用されているアウトバンドシグナリングチャネルを使用している。前述のように、ＷＣＤＭＡのＲｅｌ９９によれば、（多重化および符号化チェーンの開始時点において演算される）ＣＲＣは、シグナリングチャネル内の誤りを検出するべく、アウトバンドシグナリングチャネル上において伝送される（Ｅ−ＤＣＨおよびアウトバンドシグナリングビットは、時間多重化または符号多重化可能である）。誤りが存在する場合に、受信機が（ＨＡＲＱプロセスによって）データのソフト組み合わせを実行できるように、データチャネル（すなわち、Ｅ−ＤＣＨ）の前において、シグナリングチャネルをデコードしなければならない。本発明は、アウトバンドＣＲＣを利用し、（例えば、新しいチャネルの追加による）オーバーヘッドの増大や（例えば、伝送されるビット数の追加による）複雑性の増大を伴うことなしに、アウトバンドシグナリングチャネル内の誤りに加えて、ＴＦＣＩ内の可能な誤りをも検出している。本発明によれば、アウトバンドＣＲＣは、アウトバンドシグナリングビットのみならずＴＦＣＩビットをも考慮するように算出されており、当然のことながら、受信側も、受信したＣＲＣを使用する際に（すなわち、受信したＴＦＣＩおよび受信したアウトバンドシグナリングビットからＣＲＣを算出し、受信したＣＲＣとその算出したＣＲＣを比較する際に）、同様の内容を実行する。受信したＣＲＣが、誤りを通知している場合には、その誤りは、アウトバンドシグナリング情報またはＴＦＣＩのいずれかの内部の誤りであるが、いずれの場合にも、本発明によれば、受信側は、そのデータパケットをソフト組み合わせに使用されるバッファに加えることによってバッファを破壊する代わりに、再伝送を要求し、そのデータパケットを破棄する。
【００３３】
ＴＣＦＩパラメータ（ビット）は、送信機／送信側においてＣＲＣが演算される際に判明している。実際に、送信機は、Ｅ−ＤＣＨ（並びに、可能なＤＣＨ）上において送信されるデータを伝達するのに必要なリソース（物理チャネルの数、それぞれのトランスポートチャネルに予約されているチャネルビットなど）を割り当てるために、ＴＦＣＩについて知らなければならない。ＴＦＣＩ自体は、データとは異なるチャネル（制御チャネル、すなわち、Ｒｅｌ９９におけるＤＰＣＣＨ）上において送信されるが、ＴＦＣＩ値は既知である。
【００３４】
従って、ここで、図２を参照すれば、送信無線通信装置２０ａ（これは、ユーザー装置（ＵＥ）または基地局／ノードＢ（すなわち、無線通信ネットワークのアクセスポイント）であってもよい）と受信無線通信装置２０ｂ（これは、送信装置２０ａがＵＥ装置である場合には、アクセスポイントであり、送信装置２０ａがアクセスポイントである場合には、ＵＥ装置である）の観点から、本発明が示されている（送信装置２０ａおよび受信装置２０ｂは、いずれも、わかりやすくするべく単純化されており、チャネル符号化、レートマッチングなどのその他の要素は、簡潔性を考慮して図示されていない）。図２に示されているように、且つ、Ｅ−ＤＣＨ（すなわち、アップリンクの場合）と関連して後述するように、送信装置２０ａは、本発明による送信装置を含んでおり、且つ、受信装置２０ｂは、本発明による受信装置を含んでおり、これらは、いずれも、両方の種類の装置を包含可能であろう。
【００３５】
本発明によれば、送信装置２０ａは、（現在のフレームの）ＴＦＣＩおよびアウトバンドシグナリングビットを入力として使用し、ＣＲＣを算出するアウトバンドビット／ＴＦＣＩコンバイナモジュール２１を含んでいる。次いで、ＣＲＣ算出器およびＴＦＣＩスワイパモジュール２２が、ビットからＴＦＣＩを取得／除去し、算出されたＣＲＣを追加する（ＣＲＣ／アウトバンドシグナリングビットの順序は、本発明とは無関係である）。次に、トランスポートチャネルＭＵＸ（マルチプレクサ）モジュール２３は、様々なその他のデータトランスポートチャネル（並びに、可能なその他のアウトバンドシグナリングチャネル）からのビットを多重化されたビットの単一の組に多重化する（Ｅ−ＤＣＨ上において、データビットからアウトバンドビットを分離する）。ＴＦＣＩビットを物理チャネルマッパ内の物理チャネルＤＰＣＣＨにマッピングする。最終的に、物理チャネルマッパモジュール２４は、多重化された（データおよびアウトバンド）ビットを物理データチャネルに、そして、ＴＦＣＩビットを物理制御チャネルにマッピングし、ビットを伝送する。
【００３６】
更に図２を参照すれば、本発明による受信装置２０ｂは、物理チャネルから現在のフレームの多重化されたビットを抽出する物理チャネルデマッパモジュール２５を含んでいる。通常、物理チャネルデマッパモジュール内においてＴＦＣＩビットを抽出し、物理チャネルデマッパ２５からトランスポートＤＥＭＵＸ２６、そして、ＣＲＣ算出器２７にルーティングする（ＴＦＣＩビットは、逆多重化されないが、逆多重化動作のために使用される）。次に、トランスポートチャネルＤＥＭＵＸ（デマルチプレクサ）２６が、多重化されたビットから、それぞれの個々のトランスポートチャネル用のビットを抽出する。但し、これは、従来技術による対応したモジュールとは異なる動作において、それぞれのトランスポートチャネルのビットを供給するのみならず、ＣＲＣ算出器および比較器モジュール２７に対して、アウトバンドシグナリングビット、ＴＦＣＩビット、および、受信したアウトバンドチャネルのＣＲＣをも供給する。次いで、ＣＲＣ算出器および比較器モジュール２７が、受信したＣＲＣを、アウトバンドシグナリングビットとＴＦＣＩビットに基づいて算出したＣＲＣと比較する。２つのＣＲＣが同一である場合には、ＣＲＣ算出器および比較器モジュール２７は、その旨をＨＡＲＱプロセス２８に通知し、ＨＡＲＱプロセスが、通常どおりに、必要に応じて、ソフト組み合わせバッファ２９を使用して処理を進める（ＨＡＲＱプロセスは、通常、ＴＦＣＩビットを必要とせず、逆多重化の実行が完了すると、通常は、ＴＦＣＩビットは、もはや不要である（すなわち、アウトバンドおよびＥ−ＤＣＨチャネルが既に分離されている））。ＴＦＣＩビットは、主にＴｒＣＨ逆多重化に使用されるが、レートデマッチング、チャネルデコーディングなどにおいては（すなわち、ＨＡＲＱ処理においては）、幾つかの情報も必要とされる。従って、本発明者らは、ＨＡＲＱプロセスに向かうＴＦＣＩビットをも示している）。
【００３７】
一方、２つのＣＲＣが異なっている場合には、ＣＲＣ算出器および比較器２７は、現在のデータフレームのＥ−ＤＣＨビットを（通常は）破棄し、再伝送を要求するように、ＨＡＲＱプロセスに通知する（本発明によれば、本発明者らは、現在のフレームのその他のビットを必ずしも破棄しない（このフレームは、図１に示されているように、アウトバンドビット、Ｅ−ＤＣＨビット、並びに、恐らくはＤＣＨビットを包含可能であろう）。誤りがＴＦＣＩ部分内には存在しておらず、且つ、ＤＣＨのＣＲＣが失敗していない場合には、ＤＣＨビットは、必ずしも破棄されない。但し、Ｅ−ＤＣＨビットは、通常、破棄される）。
【００３８】
多項式の出力を生成するべく、ＴＦＣＩビットとアウトバンドシグナリングビットを入力として（すなわち、トランスポートブロックの各ブロックとして）使用し、サイクリック生成多項式によってＣＲＣ演算を実行する。トランスポートブロックに付加されるＣＲＣビットの数は、ブロック自体の長さによっては左右されず、（上位のレイヤから通知される）既定の長さに固定されている。従って、伝送されるビットの数に影響を及ぼすことなしに、ＣＲＣ演算のために、ＴＦＣＩビットをアウトバンドシグナリングビットと共に使用可能である。従って、本発明によれば、アウトバンドシグナリングチャネルに起因したオーバーヘッドは増大しない。
【００３９】
図２を更に参照すれば、受信装置２０ｂは、（信頼性チェックを伴うことなしに）制御チャネルからＴＦＣＩをデコードし、この結果を使用してトランスポートチャネルをデコードする。Ｅ−ＤＣＨを使用する伝送においては、前述のように、同一のデータブロックの恐らくは異なる伝送を組み合わせるのに必要な情報を受信機に付与するべく、データチャネル（Ｅ−ＤＣＨ）の前において、アウトバンドシグナリングチャネルを処理しなければならない。アウトバンドシグナリングチャネルのデコードが完了すると、ＣＲＣが判明し、次いで、受信したアウトバンドシグナリングビットとデコードされたＴＦＣＩを使用し、ＣＲＣチェックを実行する。ＣＲＣは、アウトバンドシグナリングおよびＴＦＣＩビットの両方を考慮しているため、受信装置２０ｂによるＣＲＣチェックにより、アウトバンドシグナリングビット内に誤りが存在しているかどうかのみならず、デコードされたＴＦＣＩが正しいかどうかについてもチェック可能である。ＣＲＣチェックによって検出された誤りは、アウトバンドシグナリングビットまたはＴＦＣＩビット（または、これらの両方）が誤りを具備していることを通知しており、この場合には、受信したビットをソフト組み合わせ用のバッファに加えることによって（誤ったＴＦＣＩを使用して判定されるビットは、伝送されたビットに対して関係を有していないため、がらくたをバッファに加えることによって）バッファを破壊する代わりに、再伝送を要求する。
【００４０】
次に、図３を参照すれば、本発明が、第１段階３１を含む方法として示されており、この段階においては、送信側（すなわち、送信装置２０ａ）が、アウトバンドシグナリングビットとＴＦＣＩビットの両方に基づいてＣＲＣ値を演算している。次の段階３２において、送信側は、アウトバンドシグナリングビットとＣＲＣビットをアウトバンドシグナリングチャネル上において伝送し、ＴＦＣＩ値をＤＰＣＣＨ上において伝送し、且つ、データビットをＥ−ＤＣＨ上において伝送する。次の段階３３において、受信側（すなわち、受信装置２０ｂ）は、（ＤＰＣＣＨから）ＴＦＣＩビットを取得し、次いで、アウトバンドシグナリングチャネルをデコードし、送信されたＣＲＣ値を取得し、伝送されたＴＦＣＩおよびアウトバンドシグナリングビットを使用してＣＲＣを算出し、次いで、算出されたＣＲＣ値を伝送されたＣＲＣ値と比較する。ＣＲＣチェック／比較に成功した場合には（すなわち、算出されたＣＲＣと伝送されたＣＲＣが同一である場合には）、次の段階３５において、受信側は、対応するＴＦＣＩごとに現在のフレームのＥ−ＤＣＨをデコードし、必要に応じて、ＨＡＲＱを実行する。そうでない場合には（ＣＲＣチェックに失敗した場合には）、次の段階３４において、受信側は、現在のフレーム内のＥ−ＤＣＨビットを破棄し、それらの再伝送を要求する。
【００４１】
アウトバンドシグナリングは、前述のように、データチャネル（Ｅ−ＤＣＨ）と時間多重化されたトラスポートチャネル上において送信可能である。或いは、この代わりに、アウトバンドシグナリングを搬送するトラスポートチャネルは、データチャネル（Ｅ−ＤＣＨ）と符号多重化することも可能であろう。例えば、別個の符号チャネルを１つまたは複数のＥ−ＤＣＨと１つまたは複数のＤＣＨに定義可能であろう。次いで、これらの符号チャネルのいずれかの上に（好ましくは、１つまたは複数のＥ−ＤＣＨが存在している同一の符号チャネル上に）、アウトバンドシグナリングチャネルを時間多重化可能であろう。或いは、この代わりに、アウトバンドシグナリングは、アウトバンドシグナリングに専用の（例えば、Ｅ−ＤＰＣＣＨと呼ばれる）別個の物理チャネル（符号チャネル）上において送信することも可能であり、或いは。アウトバンドシグナリングを何らかのその他の制御情報と多重化し、何らかの制御チャネル上において送信することも可能であろう。アウトバンドシグナリングチャネル上に誤り検出が提供されている限り、本発明に記述されているように、ＴＦＣＩの誤りを同時に検出可能である。
【００４２】
ＤＰＣＣＨは、ＴＦＣＩを上回るものを伝達しており、前述のように、本発明は、ＴＦＣＩを（より良好に）保護するべく使用される。但し、以上の説明から明らかなように、本発明を使用することにより、ＤＰＣＣＨをより一層保護可能であり、その一方で、本発明は、ＴＦＣＩの（幾つかのビットのみの）一部のみを保護するべく使用可能であろう。
【００４３】
アウトバンドシグナリングが伝送されないケースにおいてＴＦＣＩを保護する前述のメカニズムの代替として、ブロックのＣＲＣを算出する前に、何らかのその他のトランスポートチャネルの何らかのその他のトランスポートブロックにＴＦＣＩビットを加えることも可能である。音声チャネルの保護は、通常、パケットデータチャネルのものよりも良好であるため、アウトバンドシグナリングチャネルブロックの代わりに、例えば、音声トランスポートブロックを使用することにより、ＴＦＣＩおよび（このケースにおいては）音声ビット内の誤りを検出するためのＣＲＣを搬送可能であろう。受信機は、（何らかの制御チャネルから）ＴＦＣＩを取得した後に、まず、音声チャネルをデコードし、且つ、相応して、伝送されたＣＲＣを取得し、次いで、ＣＲＣを算出し、伝送されたＣＲＣと比較する。ＴＦＣＩ部分または音声部分内に誤りが存在している場合には、ＣＲＣが失敗し、パケットデータは、ソフトバッファ内のデータと組み合わせられない。ＴＦＣＩまたは音声ブロックが誤りを含んでいる場合には、いずれにしても、音声ブロックは破棄されるため、音声チャネルの場合には、この結果、なんの問題も生じないであろう。
【００４４】
この代替例には、２つの欠点が存在している。すなわち、第１には、音声チャネルのＴＴＩ（Time Transmission Interval）が、通常、２０ｍｓである（すなわち、１０ｍｓ無線フレームごとに、ＣＲＣが算出されない）。第２に、ＴＦＣＩが現在のフレームにおいて正しい場合にも、音声チャネル内の誤りにより、パケットデータの破棄が強制されることになるであろう。（アウトバンドシグナリングチャネルを使用している）第１の実施例によれば、これらの問題は発生しない。すなわち、アウトバンドシグナリングチャネルのＴＴＩは、１０ｍｓ以下であり（通常は、パケットデータチャネルにおけるものと同一である）、アウトバンドシグナリングチャネル上における誤りにより、パケットデータの破棄が自動的に強制される。
【００４５】
また、以上の内容から、本発明は、ＣＲＣに基づいた誤り検出を使用している場合のみならず、その他の誤り検出方法を使用している場合にも有用であることが明らかであろう。更には、本発明は、（少なくとも幾つかのネットワークにおいては、Ｒｅｅｄ−Ｍｕｌｌｅｒを使用して既に保護されている）ＴＦＣＩビットのみならず、任意のビットを（より良好に）保護することにも有用である（但し、当然のことながら、本発明は、ＴＦＣＩビットのみならず、任意の種類のシグナリングビットを保護することに、特に有用である）。更には、保護されているチャネルの保護されているビットのみならず、（より良好に）保護され、且つ、別のチャネルによって搬送されているシグナリングビットにも基づいて、保護されているチャネル上において誤り検出ビットを提供することにより、シグナリングビットのより良好な保護を提供する際には、保護されているシグナリングビットは、更なるチャネルをデコードするのに使用される制御チャネルによって搬送可能であり、これは、トラフィックまたは任意のその他の種類のチャネルであってもよい。また、シグナリングビットを搬送するのに使用されるチャネルと保護されているチャネルは、いずれも、何らかの更なるチャネルをデコードするのに使用される制御チャネルであってもよい。更には、保護されているチャネル自体は、制御チャネルでなくてもよく、その代わりに、トラフィックチャネルであってもよい。更には、シグナリングビットは、更なるチャネルをデコードするのに使用される制御チャネルによって搬送可能であり、保護されているチャネルは、更なるチャネルよりも良好に保護されている任意のチャネルであってもよい。
【００４６】
前述のように、本発明は、方法と、この方法の各段階を実行する機能を提供する様々なモジュールから構成された対応する装置を提供している。これらのモジュールは、ハードウェアとして実装可能であり、或いは、プロセッサによって実行されるソフトウェアまたはファームウェアとして実装することも可能である。具体的には、ファームウェアまたはソフトウェアの場合には、本発明は、コンピュータプロセッサによって実行されるコンピュータプログラムコード（すなわち、ソフトウェアまたはファームウェア）をその上に実装したコンピュータ可読ストレージ構造を含むコンピュータプログラムプロダクトとして提供可能である。
【００４７】
以上の構成は、本発明の原理の適用を例示するものに過ぎないことを理解されたい。当業者であれば、本発明の範囲を逸脱することなしに、多数の変更および代替構成を考案可能であり、添付の請求項は、それらの変更および構成をも包含することを意図するものである。
【図面の簡単な説明】
【００４８】
【図１】２つの異なるフレーム、および、各フレームの対応するＴＦＣを示す概略図である。
【図２】送信無線通信装置および受信無線通信装置、例えば、一方がＵＥ装置であり、他方がノードＢである本発明に関連するコンポーネントを示すブロックダイアグラム／フローチャートである。
【図３】本発明に係る２つの通信可能に結合された無線通信装置の動作を示すフローチャートである。
【図１】
2007523554.tif 000003
【図２】
2007523554.tif 000004
【図３】
2007523554.tif 000005
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
保護されているチャネルを介して無線通信される保護されているビット、および、他のチャネルを介して無線通信される他のビットの両方に基づいて誤り検出ビットを演算する送信装置を備え、
前記送信装置は、前記保護されているビットを伴った前記誤り検出ビットを、前記保護されているチャネル上に伝送すると共に、前記他のビットを他のチャネル上に伝送する方法。
【請求項２】
さらに、前記保護されているチャネル上の前記誤り検出ビットおよび前記保護されているビット、並びに、前記他のチャネル上の前記他のビットを受け取る受信装置を備え、
前記受信装置は、前記保護されているビットおよび前記誤り検出ビットを使用する他のビットに基づいて誤りを検出する請求項１に記載の方法。
【請求項３】
チャネル上のビットはフレームで無線通信され、前記方法は、さらに、前記受信装置が、前記他のビットにおいて誤りが検出された場合に、フレームの少なくとも幾つかのビットを破棄し、ソフト組み合わせ用のバッファに前記破棄されたビットを加えず、前記フレームを再伝送するように前記送信装置に要求するのを備える請求項２に記載の方法。
【請求項４】
前記他のビットは、データチャネルのトランスポートフォーマット組み合わせインジケータについて通知するビットを備え、誤りを検出した際に破棄される前記ビットは、前記データチャネルによって搬送されるビットである請求項３に記載の方法。
【請求項５】
前記他のビットは、更なるチャネルをデコードするべく使用される制御チャネルによって搬送される請求項１に記載の方法。
【請求項６】
前記他のビットは、トランスポートフォーマット組み合わせインジケータについて通知するビットを含み、前記更なるチャネルは、トラフィックチャネルである請求項５に記載の方法。
【請求項７】
前記他のビットを搬送するべく使用される前記チャネルおよび前記保護されているチャネルは、両方とも更なるチャネルをデコードするべく使用される制御チャネルである請求項１に記載の方法。
【請求項８】
前記他のビットは、トランスポートフォーマット組み合わせインジケータを搬送し、前記保護されているチャネルは、アウトバンドシグナリングチャネルである請求項７に記載の方法。
【請求項９】
前記保護されているチャネルは、前記更なるチャネルと時間多重化されている請求項７に記載の方法。
【請求項１０】
前記保護されたチャネルは、前記更なるチャネルと符号多重化されている請求項７に記載の方法。
【請求項１１】
前記保護されているチャネルは、トラフィックチャネルである請求項１に記載の方法。
【請求項１２】
前記他のビットは、更なるチャネルをデコードするべく使用される制御チャネルによって搬送され、前記保護されているチャネルは、前記更なるチャネルよりも良好に保護されている請求項１１に記載の方法。
【請求項１３】
前記誤り検出ビットは、サイクリック冗長チェック符号を使用して演算される請求項１に記載の方法。
【請求項１４】
通信装置内のコンピュータプロセッサによって実行されるコンピュータプログラムコードをその上に実装したコンピュータ可読ストレージ構造を備えるコンピュータプログラムプロダクトにおいて、
前記コンピュータプログラムコードは、請求項１に記載の方法を実行する命令を含むコンピュータプログラムプロダクト。
【請求項１５】
通信装置内のコンピュータプロセッサによって実行されるコンピュータプログラムコードをその上に実装したコンピュータ可読ストレージ構造を備えるコンピュータプログラムプロダクトにおいて、
前記コンピュータプログラムコードは、請求項２に記載の方法を実行する命令を含むコンピュータプログラムプロダクト。
【請求項１６】
保護されているチャネルを介して無線通信される保護されているビット、および、他のチャネルを介して無線通信される他のビットの両方に基づいて誤り検出ビットを演算する手段と、
前記保護されているビットを伴った前記誤り検出ビットを、前記保護されているチャネル上に伝送すると共に、前記他のビットを他のチャネル上に伝送する手段と、を備える装置。
【請求項１７】
前記誤り検出ビットを演算する手段は、ユーザー装置である請求項１６に記載の装置。
【請求項１８】
前記誤り検出ビットを演算する手段は、通信ネットワークのアクセスポイントである請求項１６に記載の装置。
【請求項１９】
前記他のビットは、更なるチャネルをデコードするべく使用される制御チャネルによって搬送される請求項１６に記載の装置。
【請求項２０】
前記他のビットは、トランスポートフォーマット組み合わせインジケータについて通知するビットを含み、前記更なるチャネルは、トラフィックチャネルである請求項１９に記載の装置。
【請求項２１】
前記他のビットを搬送するべく使用される前記チャネルおよび前記保護されているチャネルは、両方とも更なるチャネルをデコードするべく使用される制御チャネルである請求項１６に記載の装置。
【請求項２２】
前記他のビットは、トランスポートフォーマット組み合わせインジケータを搬送し、前記保護されているチャネルは、アウトバンドシグナリングチャネルである請求項２１に記載の装置。
【請求項２３】
前記保護されているチャネルは、前記更なるチャネルと時間多重化されている請求項２１に記載の装置。
【請求項２４】
前記保護されているチャネルは、前記更なるチャネルと符号多重化されている請求項２１に記載の装置。
【請求項２５】
前記保護されているチャネルは、トラフィックチャネルである請求項１６に記載の装置。
【請求項２６】
前記他のビットは、更なるチャネルをデコードするべく使用される制御チャネルによって搬送され、前記保護されているチャネルは、前記更なるチャネルよりも良好に保護されている請求項２５に記載の装置。
【請求項２７】
前記誤り検出方法は、サイクリック冗長チェック符号を使用して演算される請求項１６に記載の装置。
【請求項２８】
保護されているチャネルを介して無線通信される保護されているビット、および、他のチャネルを介して無線通信される他のビットを受け取る手段と、
前記保護されているビットおよび前記他のビットに基づいて誤りを検出する手段と、を備える装置。
【請求項２９】
前記誤りを検出する手段は、通信ネットワークのアクセスポイントである請求項２８に記載の装置。
【請求項３０】
前記誤りを検出する手段は、ユーザー装置である請求項２８に記載の装置。
【請求項３１】
チャネル上のビットはフレームで無線通信され、前記装置は、前記他のチャネル上の前記他のビットにおいて誤りが検出された場合に、フレームの少なくとも幾つかのビットを破棄し、ソフト組み合わせ用のバッファに前記破棄されたビットを加えずに当該ビットを破棄し、該破棄されたビットを再伝送するように要求する手段を更に備える請求項２８に記載の装置。
【請求項３２】
前記他のビットは、データチャネルのトランスポートフォーマット組み合わせインジケータについて通知するビットを有しており、誤りを検出した場合に破棄される前記ビットは、前記データチャネルによって搬送される前記ビットである請求項３１に記載の装置。
【請求項３３】
請求項１６に記載の装置を含む第１無線通信装置、および、第２無線通信装置をも備えるシステム。
【請求項３４】
第１無線通信装置を備え、更に、請求項２８に記載の装置を含む第２無線通信装置をも備えるシステム。
【請求項３５】
保護されているチャネルを介して伝送する誤り検出シンボルを提供するのに、前記保護されているチャネルを介して伝送する保護されているシンボル、および、他のチャネルを介して伝送する他のシンボルの両方を使用し、
前記誤り検出シンボルを前記他のシンボルと一緒に前記保護されているチャネルを介して受信装置に送信すると共に、前記他シンボルを前記他のチャネルを介して前記受信装置に送信するのを備える方法。
【請求項３６】
保護されているチャネルを介して伝送する保護されているシンボル、および、他のチャネルを介して伝送する他のシンボルの両方を使用して、前記保護されているチャネルを介して伝送する誤り検出シンボルを提供する手段と、
前記誤り検出シンボルを前記他のシンボルと一緒に前記保護されているチャネルを介して受信装置に送信すると共に、前記他シンボルを前記他のチャネルを介して前記受信装置に送信する手段と、を備える装置。
【請求項３７】
前記他のシンボルは、トランスポートフォーマット組み合わせインジケータを搬送し、前記保護されているチャネルは、アウトバンドシグナリングチャネルである請求項３５に記載の方法。
【請求項３８】
前記他のシンボルは、トランスポートフォーマット組み合わせインジケータを搬送し、前記保護されているチャネルは、アウトバンドシグナリングチャネルである請求項３６に記載の装置。
【請求項３９】
保護されているチャネルを介して伝送する保護されているシンボル、および、他のチャネルを介して伝送する他のシンボルの両方を使用して、前記保護されているチャネルを介して伝送する誤り検出シンボルを提供するサイクリック冗長チェック演算器と、
前記誤り検出シンボルを前記他のシンボルと一緒に前記保護されているチャネルを介して受信装置に送信すると共に、前記他シンボルを前記他のチャネルを介して前記受信装置に送信するトランスポートチャネルマルチプレクサおよび物理チャネルマッパと、を備える装置。
【請求項４０】
前記他のシンボルは、トランスポートフォーマット組み合わせインジケータを搬送し、前記保護されているチャネルは、アウトバンドシグナリングチャネルである請求項３９に記載の装置。
【請求項４１】
保護されているビットを保護されているチャネルを介して受け取ると共に、他のビットを他のチャネルを介して受け取り、
前記保護されているビットおよび前記他のビットに基づいて誤りを検出する方法。
【請求項４２】
前記他のビットは、トランスポートフォーマット組み合わせインジケータを搬送し、前記保護されているチャネルは、アウトバンドシグナリングチャネルである請求項４１に記載の方法。
【請求項４３】
保護されているビットを保護されているチャネルを介して受け取ると共に、他のビットを他のチャネルを介して受け取る手段と、
前記保護されているビットおよび前記他のビットに基づいて誤りを検出する手段と、を備える装置。
【請求項４４】
前記他のビットは、トランスポートフォーマット組み合わせインジケータを搬送し、前記保護されているチャネルは、アウトバンドシグナリングチャネルである請求項４３に記載の装置。
【請求項４５】
保護されているチャネルを介して保護されているビットを受け取ると共に、他のチャネルを介して他のビットを受け取るトランスポートチャネルマルチプレクサおよび物理チャネルマッパと、
前記保護されているビットおよび前記他のビットに基づいて誤りを検出するサイクリック冗長チェック演算器と、を備える装置。
【請求項４６】
前記他のビットは、トランスポートフォーマット組み合わせインジケータを搬送し、前記保護されているチャネルは、アウトバンドシグナリングチャネルである請求項４５に記載の装置。
【手続補正２】
【補正対象書類名】明細書
【補正対象項目名】０００４
【補正方法】変更
【補正の内容】
【０００４】
更に詳しくは、ＭＡＣ／Ｌ１  （Ｈ）ＡＲＱをＥ−ＤＣＨによって使用することにより、ＭＡＣ／Ｌ１レベルにおけるパケットの再伝送が可能であり、遅延の低減および／またはカバレージや能力の増大などのシステムにとっての利点が得られる。意図する受信者のＵＥ（User Equipment：ユーザー装置（すなわち、無線端末））に対してサービスしているノードＢ（すなわち、しばしば、基地局または基地局コンポーネントとも呼ばれる通信ネットワークのアクセスポイント）において、パケットが誤りを伴って受信された場合に、（ＲＬＣレイヤなどの）上位レイヤを伴うことなしに、送信側のＵＥからの再伝送を要求する。受信側において同一パケットの異なる再伝送（異なるバージョン）を組み合わせることにより、良好な性能を得ることができる。このような再組み合わせを実行するべく、ノードＢは、受信した伝送をバッファ内に保存し、同一パケットのそれぞれの再伝送を、このバッファに加える。組み合わせに必要な様々なパラメータについてノードＢに通知するべく、データと並行し、所謂アウトバンドシグナリング（制御）情報が送信される。尚、この場合のアウトバンドシグナリングとは、データビットとは別個に保護されるシグナリングビットを意味している。アウトバンドシグナリングビットは、通常は、独自の誤り検出符号と、チャネル符号（誤り訂正符号）を具備しており、所謂インバンドシグナリングビット（例えば、パケットヘッダ）は、通常、データビットと一緒に（すなわち、同一の誤り検出およびチャネル符号によって）保護されている。アウトバンドシグナリングビットは、通常、データビット内に誤りが存在する場合にも判読可能であり、インバンドシグナリングビットは、データビット内に誤りが存在する場合には判読不能である。制御情報内において検出された誤りは、そのデータパケットを破棄しなければならないことを意味しており、且つ、アウトバンドシグナリング情報内の検出されていない誤りは、受信バッファを破壊し得るため、アウトバンドシグナリングビット／情報は、データ自体よりも良好に保護される。この場合のより良好な保護とは、相対的に強力なチャネル符号（誤り訂正符号）を意味している（すなわち、相対的に低レートのチャネル符号）。アウトバンドシグナリング情報は、ＷＣＤＭＡのＲｅｌ９９においてデータチャネル（ＤＣＨ）について既に実行されているものと同一の方法により、例えば、ＣＲＣ（Cyclic Redundant Check：サイクリック冗長チェック）符号が付与された場合に、誤り検出能力を具備するはずである（従来技術においては、ダウンリンクについては、この能力を具備しているが、アップリンクについては、まだ具備していない）。どのようなアウトバンド情報が実装されている場合にも、それによってシステムの（パワー）オーバーヘッドが決定される（そして、アウトバンド情報に起因するこのオーバーヘッドは、低データレートの場合にリンクの最終的な性能に対して非常に大きな影響を与え得るため、重要であり、これは、アウトバンド情報をデータと共に時間多重化したり、符号多重化におけるように別個の符号を使用するなど、実際にアウトバンド情報をどのように実装した場合にも当て嵌まる）。
【手続補正３】
【補正対象書類名】明細書
【補正対象項目名】００３３
【補正方法】変更
【補正の内容】
【００３３】
ＴＦＣＩパラメータ（ビット）は、送信機／送信側においてＣＲＣが演算される際に判明している。実際に、送信機は、Ｅ−ＤＣＨ（並びに、可能なＤＣＨ）上において送信されるデータを伝達するのに必要なリソース（物理チャネルの数、それぞれのトランスポートチャネルに予約されているチャネルビットなど）を割り当てるために、ＴＦＣＩについて知らなければならない。ＴＦＣＩ自体は、データとは異なるチャネル（制御チャネル、すなわち、Ｒｅｌ９９におけるＤＰＣＣＨ）上において送信されるが、ＴＦＣＩ値は既知である。
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
保護されているチャネルを介して無線通信される保護されているビット、および、他のチャネルを介して無線通信される他のビットの両方に基づいて誤り検出ビットを演算する送信装置を備え、
前記送信装置は、前記保護されているビットを伴った前記誤り検出ビットを、前記保護されているチャネル上に伝送すると共に、前記他のビットを他のチャネル上に伝送する方法。
【請求項２】
さらに、前記保護されているチャネル上の前記誤り検出ビットおよび前記保護されているビット、並びに、前記他のチャネル上の前記他のビットを受け取る受信装置を備え、
前記受信装置は、前記保護されているビットおよび前記誤り検出ビットを使用する他のビットに基づいて誤りを検出する請求項１に記載の方法。
【請求項３】
チャネル上のビットはフレームで無線通信され、前記方法は、さらに、前記受信装置が、前記他のビットにおいて誤りが検出された場合に、フレームの少なくとも幾つかのビットを破棄し、ソフト組み合わせ用のバッファに前記破棄されたビットを加えず、前記フレームを再伝送するように前記送信装置に要求するのを備える請求項２に記載の方法。
【請求項４】
前記他のビットは、データチャネルのトランスポートフォーマット組み合わせインジケータについて通知するビットを備え、誤りを検出した際に破棄される前記ビットは、前記データチャネルによって搬送されるビットである請求項３に記載の方法。
【請求項５】
前記他のビットは、更なるチャネルをデコードするべく使用される制御チャネルによって搬送される請求項１に記載の方法。
【請求項６】
前記他のビットは、トランスポートフォーマット組み合わせインジケータについて通知するビットを含み、前記更なるチャネルは、トラフィックチャネルである請求項５に記載の方法。
【請求項７】
前記他のビットを搬送するべく使用される前記チャネルおよび前記保護されているチャネルは、両方とも更なるチャネルをデコードするべく使用される制御チャネルである請求項１に記載の方法。
【請求項８】
前記他のビットは、トランスポートフォーマット組み合わせインジケータを搬送し、前記保護されているチャネルは、アウトバンドシグナリングチャネルである請求項７に記載の方法。
【請求項９】
前記保護されているチャネルは、前記更なるチャネルと時間多重化されている請求項７に記載の方法。
【請求項１０】
前記保護されたチャネルは、前記更なるチャネルと符号多重化されている請求項７に記載の方法。
【請求項１１】
前記保護されているチャネルは、トラフィックチャネルである請求項１に記載の方法。
【請求項１２】
前記他のビットは、更なるチャネルをデコードするべく使用される制御チャネルによって搬送され、前記保護されているチャネルは、前記更なるチャネルよりも良好に保護されている請求項１１に記載の方法。
【請求項１３】
前記誤り検出ビットは、サイクリック冗長チェック符号を使用して演算される請求項１に記載の方法。
【請求項１４】
通信装置内のコンピュータプロセッサによって実行されるコンピュータプログラムコードをその上に実装したコンピュータ可読ストレージ構造を備えるコンピュータプログラムプロダクトにおいて、
前記コンピュータプログラムコードは、請求項１に記載の方法を実行する命令を含むコンピュータプログラムプロダクト。
【請求項１５】
通信装置内のコンピュータプロセッサによって実行されるコンピュータプログラムコードをその上に実装したコンピュータ可読ストレージ構造を備えるコンピュータプログラムプロダクトにおいて、
前記コンピュータプログラムコードは、請求項２に記載の方法を実行する命令を含むコンピュータプログラムプロダクト。
【請求項１６】
保護されているチャネルを介して無線通信される保護されているビット、および、他のチャネルを介して無線通信される他のビットの両方に基づいて誤り検出ビットを演算する手段と、
前記保護されているビットを伴った前記誤り検出ビットを、前記保護されているチャネル上に伝送すると共に、前記他のビットを他のチャネル上に伝送する手段と、を備える装置。
【請求項１７】
前記装置は、ユーザー装置である請求項１６に記載の装置。
【請求項１８】
前記装置は、通信ネットワークのアクセスポイントである請求項１６に記載の装置。
【請求項１９】
前記他のビットは、更なるチャネルをデコードするべく使用される制御チャネルによって搬送される請求項１６に記載の装置。
【請求項２０】
前記他のビットは、トランスポートフォーマット組み合わせインジケータについて通知するビットを含み、前記更なるチャネルは、トラフィックチャネルである請求項１９に記載の装置。
【請求項２１】
前記他のビットを搬送するべく使用される前記チャネルおよび前記保護されているチャネルは、両方とも更なるチャネルをデコードするべく使用される制御チャネルである請求項１６に記載の装置。
【請求項２２】
前記他のビットは、トランスポートフォーマット組み合わせインジケータを搬送し、前記保護されているチャネルは、アウトバンドシグナリングチャネルである請求項２１に記載の装置。
【請求項２３】
前記保護されているチャネルは、前記更なるチャネルと時間多重化されている請求項２１に記載の装置。
【請求項２４】
前記保護されているチャネルは、前記更なるチャネルと符号多重化されている請求項２１に記載の装置。
【請求項２５】
前記保護されているチャネルは、トラフィックチャネルである請求項１６に記載の装置。
【請求項２６】
前記他のビットは、更なるチャネルをデコードするべく使用される制御チャネルによって搬送され、前記保護されているチャネルは、前記更なるチャネルよりも良好に保護されている請求項２５に記載の装置。
【請求項２７】
前記誤り検出方法は、サイクリック冗長チェック符号を使用して演算される請求項１６に記載の装置。
【請求項２８】
保護されているチャネルを介して無線通信される保護されているビット、および、他のチャネルを介して無線通信される他のビットを受け取る手段と、
前記保護されているビットおよび前記他のビットに基づいて誤りを検出する手段と、を備える装置。
【請求項２９】
前記装置は、通信ネットワークのアクセスポイントである請求項２８に記載の装置。
【請求項３０】
前記装置は、ユーザー装置である請求項２８に記載の装置。
【請求項３１】
チャネル上のビットはフレームで無線通信され、前記装置は、前記他のチャネル上の前記他のビットにおいて誤りが検出された場合に、フレームの少なくとも幾つかのビットを破棄し、ソフト組み合わせ用のバッファに前記破棄されたビットを加えずに当該ビットを破棄し、該破棄されたビットを再伝送するように要求する手段を更に備える請求項２８に記載の装置。
【請求項３２】
前記他のビットは、データチャネルのトランスポートフォーマット組み合わせインジケータについて通知するビットを有しており、誤りを検出した場合に破棄される前記ビットは、前記データチャネルによって搬送される前記ビットである請求項３１に記載の装置。
【請求項３３】
請求項１６に記載の装置を含む第１無線通信装置、および、第２無線通信装置をも備えるシステム。
【請求項３４】
第１無線通信装置を備え、更に、請求項２８に記載の装置を含む第２無線通信装置をも備えるシステム。
【請求項３５】
保護されているチャネルを介して伝送する誤り検出シンボルを提供するのに、前記保護されているチャネルを介して伝送する保護されているシンボル、および、他のチャネルを介して伝送する他のシンボルの両方を使用し、
前記誤り検出シンボルを前記保護されているシンボルと一緒に前記保護されているチャネルを介して受信装置に送信すると共に、前記他シンボルを前記他のチャネルを介して前記受信装置に送信するのを備える方法。
【請求項３６】
保護されているチャネルを介して伝送する保護されているシンボル、および、他のチャネルを介して伝送する他のシンボルの両方を使用して、前記保護されているチャネルを介して伝送する誤り検出シンボルを提供する手段と、
前記誤り検出シンボルを前記他のシンボルと一緒に前記保護されているチャネルを介して受信装置に送信すると共に、前記他シンボルを前記他のチャネルを介して前記受信装置に送信する手段と、を備える装置。
【請求項３７】
前記他のシンボルは、トランスポートフォーマット組み合わせインジケータを搬送し、前記保護されているチャネルは、アウトバンドシグナリングチャネルである請求項３５に記載の方法。
【請求項３８】
前記他のシンボルは、トランスポートフォーマット組み合わせインジケータを搬送し、前記保護されているチャネルは、アウトバンドシグナリングチャネルである請求項３６に記載の装置。
【請求項３９】
保護されているチャネルを介して伝送する保護されているシンボル、および、他のチャネルを介して伝送する他のシンボルの両方を使用して、前記保護されているチャネルを介して伝送する誤り検出シンボルを提供するサイクリック冗長チェック演算器と、
前記誤り検出シンボルを前記他のシンボルと一緒に前記保護されているチャネルを介して受信装置に送信すると共に、前記他シンボルを前記他のチャネルを介して前記受信装置に送信するトランスポートチャネルマルチプレクサおよび物理チャネルマッパと、を備える装置。
【請求項４０】
前記他のシンボルは、トランスポートフォーマット組み合わせインジケータを搬送し、前記保護されているチャネルは、アウトバンドシグナリングチャネルである請求項３９に記載の装置。
【請求項４１】
保護されているビットを保護されているチャネルを介して受け取ると共に、他のビットを他のチャネルを介して受け取り、
前記保護されているビットおよび前記他のビットに基づいて誤りを検出する方法。
【請求項４２】
前記他のビットは、トランスポートフォーマット組み合わせインジケータを搬送し、前記保護されているチャネルは、アウトバンドシグナリングチャネルである請求項４１に記載の方法。
【請求項４３】
保護されているビットを保護されているチャネルを介して受け取ると共に、他のビットを他のチャネルを介して受け取る手段と、
前記保護されているビットおよび前記他のビットに基づいて誤りを検出する手段と、を備える装置。
【請求項４４】
前記他のビットは、トランスポートフォーマット組み合わせインジケータを搬送し、前記保護されているチャネルは、アウトバンドシグナリングチャネルである請求項４３に記載の装置。
【請求項４５】
保護されているチャネルを介して保護されているビットを受け取ると共に、他のチャネルを介して他のビットを受け取るトランスポートチャネルマルチプレクサおよび物理チャネルマッパと、
前記保護されているビットおよび前記他のビットに基づいて誤りを検出するサイクリック冗長チェック演算器と、を備える装置。
【請求項４６】
前記他のビットは、トランスポートフォーマット組み合わせインジケータを搬送し、前記保護されているチャネルは、アウトバンドシグナリングチャネルである請求項４５に記載の装置。
【国際調査報告】
2007523554.tif 000006